(57)【要約】      （修正有）【課題】一時的に使用する収納可能なカウンターを有するウォールキャビネットにおいて、収納空間を有効に利用し、作業性を向上させる。【解決手段】ウォールキャビネット1は、キャビネット本体2と、キャビネット本体2の後部に配置され、キャビネット本体2内に格納される上位置と、それから下方に延びる下位置との間を移動可能な支持フレーム4と、支持フレーム4に支持されたカウンター6とを有する。カウンター6は、支持フレーム4から前方に延びる展開位置と、支持フレーム4に沿って上下方向に延びる折畳み位置との間を回動可能であり、折畳み位置において支持フレーム4とともにキャビネット本体2内に格納可能である。【選択図】図１
2008086409.tif 000002
【特許請求の範囲】
【請求項１】
ウォールキャビネットであって、
底面を有するキャビネット本体と、前記キャビネット本体の後部に配置され、前記キャビネット本体内に格納される上位置と、前記キャビネット本体の底面よりも下方に延びる下位置との間を上下方向に移動可能な支持フレームと、
前記支持フレームに支持されたカウンターと、を有し、
前記カウンターは、前記支持フレームが下位置にあるとき、前記支持フレームから前方に延びる展開位置と、前記支持フレームに沿って上方向に延びる折畳み位置との間を回動可能であり、折畳み位置において前記支持フレームとともに前記キャビネット本体内に格納可能であることを特徴とするウォールキャビネット。
【請求項２】
前記支持フレームは、前記カウンターを折畳み位置に保持する保持部を有し、それにより、前記保持部は、前記カウンターを折畳み位置に保持したまま前記支持フレームとともに上下に移動可能であることを特徴とする請求項１に記載のウォールキャビネット。
【請求項３】
前記キャビネット本体は、その後部に、ガイドレールを有し、
前記支持フレームは、前記ガイドレールに上下方向に摺動可能に取付けられたスライドフレームを有し、
前記カウンターは、それが折畳み位置にあるとき、左方又は右方から見て前記スライドフレームと少なくとも部分的に重なることを特徴とする請求項１又は請求項２に記載のウォールキャビネット。
【発明の詳細な説明】
【技術分野】
【０００１】
本発明は、ウォールキャビネットに関し、更に詳細には、カウンターを有するウォールキャビネットに関する。
【背景技術】
【０００２】
従来から、吊戸棚の下方に設けられる折畳み式の水切り棚（カウンター）が知られている（例えば、特許文献１参照）。この折畳み式の水切り棚は、使用時には、吊戸棚の下方にそれと間隔をおいて位置し、折畳み時には、吊戸棚の下端に取付けられている蛍光灯ボックス内に格納される。
【０００３】
また、壁の隅に配置される吊棚において、その後部に昇降棚を設けたものが知られている（例えば、特許文献２参照）。
【０００４】
【特許文献１】特開２００５−５８４７１号公報（図１０）
【特許文献２】実開平２−４５０３５号公報（第１図）
【発明の開示】
【発明が解決しようとする課題】
【０００５】
特許文献１に開示された吊戸棚では、何よりも、水切り棚（カウンター）の格納空間が吊戸棚の下方に位置するので、吊戸棚の収納空間のなかで一番使用頻度が高く且つ使い勝手のよい空間を犠牲にしているという本質的なデメリットがある。また、水切り棚が収納されているときも収納されていないときも、水切り棚は常に蛍光灯の下に位置するので、作業時の照明の妨げになる場合がある。また、水切り棚を収納するための蛍光灯ボックスが大きくなり、照明が遠くなったり、作業スペースが狭くなったりすることがあり、作業者が作業しにくいことがある。
【０００６】
特許文献２に開示された吊棚の昇降棚は、収納を目的としているため、左右及び後の３方向に側板を有している。そのため、昇降棚に載せる物の大きさに制約があり、また、物を載せ昇降棚に載せたり下ろしたりする作業の邪魔になることがある。従って、昇降棚は、一時的に物を載せるには使い勝手が悪い。
【０００７】
そこで、本発明の目的は、一時的に使用する収納可能なカウンターを有するウォールキャビネットにおいて、収納空間を有効に利用し、作業性を向上させることにある。
【課題を解決するための手段】
【０００８】
上記目的を達成するために、本発明によるウォールキャビネットは、底面を有するキャビネット本体と、キャビネット本体の後部に配置され、キャビネット本体内に格納される上位置と、キャビネット本体の底面よりも下方に延びる下位置との間を上下方向に移動可能な支持フレームと、支持フレームに支持されたカウンターと、を有し、カウンターは、支持フレームが下位置にあるとき、支持フレームから前方に延びる展開位置と、支持フレームに沿って上方向に延びる折畳み位置との間を回動可能であり、折畳み位置において支持フレームとともにキャビネット本体内に格納可能であることを特徴としている。
【０００９】
このように構成されたウォールキャビネットでは、カウンターを使用するとき、支持フレームを、キャビネット本体内に格納された上位置から下位置に移動させることにより、キャビネット本体から下方に延ばす。次いで、カウンターを、上方に延びる折畳み位置から前方に延びる展開位置に回動させる。展開位置のカウンターは、支持フレームから前方に延びているので、作業しやすい位置にある。また、カウンターは、キャビネット本体の後部に格納されるので、ウォールキャビネットの下方の空間を有効に利用することができ、照明を妨げることもなくなる。その結果、ウォールキャビネットの作業性を向上させることができる。
【００１０】
また、カウンターは、上方向に延びる折畳み位置でキャビネット本体の後部に収納されるので、カウンターの格納に必要な空間が小さくなる。従って、壁の隅に取付けられるウォールキャビネットだけでなく、壁に取付けられるウォールキャビネット、天井に取付けられるウォールキャビネットに採用しても、収納空間を有効に利用しつつ、作業性の向上を図ることができる。
【００１１】
上記ウォールキャビネットの実施形態において、好ましくは、支持フレームは、カウンターを折畳み位置に保持する保持部を有し、それにより、保持部は、カウンターを折畳み位置に保持したまま支持フレームとともに上下に移動可能である。
【００１２】
また、上記ウォールキャビネットの実施形態において、好ましくは、キャビネット本体は、その後部に、ガイドレールを有し、支持フレームは、ガイドレールに上下方向移動可能に取付けられたスライドフレームを有し、カウンターは、それが折畳み位置にあるとき、左右方向に見てスライドフレームと少なくとも部分的に重なる。
【発明の効果】
【００１３】
以上説明した通り、本発明によるウォールキャビネットによれば、一時的に使用する収納可能なカウンターを有するウォールキャビネットにおいて、収納空間を有効に利用し、作業性を向上させることができる。
【発明を実施するための最良の形態】
【００１４】
以下、図面を参照して本発明の実施形態を詳細に説明する。
【００１５】
まず、図１〜図５を参照して、本発明によるウォールキャビネットの第１の実施形態を説明する。図１は、本発明の実施形態であるウォールキャビネットの下方から見た斜視図である。図２は、図１の線II−IIにおける断面図である。図３は、図２の線III−IIIにおける断面図である。図４は、図２の線IV−IVにおける断面図である。図５は、後述するカウンターを支持フレームとともにキャビネット本体内に格納した、図４と同様の図である。
【００１６】
図１に示すように、本発明によるウォールキャビネット１は、キャビネット本体２と、キャビネット本体２の後部に配置され、キャビネット本体２から下方に延びる支持フレーム４と、支持フレーム４に取付けられたカウンター６とを有している。ウォールキャビネット１は、壁に取付けられていてもよいし、天井に取付けられていてもよい。本明細書では、作業者から見て、手前側を「前」で指示し、奥側を「後」で指示する。
【００１７】
キャビネット本体２は、底板２ａ、側板２ｂ、上板２ｃ及び後板２ｄと、前扉２ｅとを有している。底板２ａは、底面２ｆを有している。キャビネット本体２は、更に、その内部を前後に仕切る仕切り板８を有し、それにより、キャビネット本体２の内部は、収納棚１０を含む前収納部１２ａと、後収納部１２ｂとに仕切られている。底板２ａは、前収納部１２ａ部分にだけ設けられている。
【００１８】
図２に示すように、キャビネット本体２は、後収納部１２ｂ内の左右両側に１つずつ取付けられ且つ上下方向に延びるガイドレール１４を有している。また、支持フレーム４は、各ガイドレール１４に上下方向に摺動可能に取付けられ且つ上下方向に細長いスライドフレーム１６と、左右のスライドフレーム１６の下端部を連結する底板１８と、左右のスライドフレーム１６の上部を連結する連結板２０とを有している。それにより、支持フレーム４は、キャビネット本体２の後収納部１２ｂ内に格納される上位置４ａ（図５参照）と、キャビネット本体２の底面２ｆよりも下方に延びる下位置４ｂ（図４参照）との間を上下方向に移動可能である。なお、後述するように、支持フレーム４が上位置４ａにあるとき、カウンター６は、支持フレーム４と共に後収納部１２ｂ内に格納されている。また、支持フレーム４の底板１８には取っ手２２が取付けられている。支持フレーム４が上位置４ａにあるとき、支持フレーム４の底板１８とキャビネット本体２の底板２ａとは、同一平面内にあることが好ましい。支持フレーム４は、その下向きの移動が最下位置においてストッパ（図示せず）によって制限されるように構成されている。支持フレーム４及びガイドレール１４の構造は、左右対称であるので、以下、左側の部分についてだけ説明する。
【００１９】
図３に示すように、ガイドレール１４は、後板２ｄに取付けられている。ガイドレール１４は、左方に開放するＵ字形の凹面１４ｂを有するレール部１４ａを有している。また、スライドフレーム１６は、Ｕ字形断面を有し、レール部１４ａを左右両側から挟むように配置された左板部１６ａ及び右板部１６ｂと、これらを連結する前板部１６ｃとを有している。スライドフレーム１６の左板部１６ａには、レール部１４ａの凹面１４ｂを上下方向に沿って摺動する２つのローラ２４が取付けられている。
【００２０】
図２に示すように、支持フレーム４及びカウンター６の重量をバランスさせるバランス機構２６が設けられることが好ましい。バランス機構２６は、後板２ｄに取付けられた滑車２６ａと、滑車２６ａに通されるワイヤ２６ｂと、ワイヤ２６ｂの一方の端部から吊り下げられたバランス重り２６ｃとを有し、ワイヤ２６ｂの他方の端部は連結板２０を介して支持フレーム４に固定されている。滑車２６ａには、ロータリーダンパ（図示せず）が取付けられることが好ましい。
【００２１】
図４に示すように、カウンター６は、板状であり、その基部６ｃがスライドフレーム１６の下端部に回動可能に取付けられている。それにより、カウンター６は、支持フレーム４が下位置４ｂにあるとき、支持フレーム４、即ち、基部６ｃから水平方向前方に延びる展開位置６ａと、支持フレーム４に沿って基部６ｃから上方向に延びる折畳み位置６ｂとの間を回動可能である。詳細には、カウンター６は、その基部６ｃに、左方に突出する回動軸６ｅを有し、スライドフレーム１６は、カウンター６の左方に配置されると共に、右板部１６ｂの下端部に、回動軸６ｅを回動可能に支持する回動受け部６ｆを有している。かくして、カウンター６は、左右のスライドフレーム１６の間に配置されている。また、カウンター６は、折畳み位置６ｂにおいて支持フレーム４と共にキャビネット本体２の後収納部１２ｂに格納可能である。
【００２２】
また、カウンター６は、折畳み位置６ｂにあるとき、左方又は右方から見てスライドフレーム１６と少なくとも部分的に重なることが好ましい。本実施形態では、回動受け部６ｆをスライドフレーム１６の右板部１６ｂの前後方向中央部に配置され、それにより、折畳み位置６ｂにあるカウンター６がその基部６ｃから先端部６ｄにわたってスライドフレーム１６と重なるように構成されている。カウンター６の厚さをスライドフレーム１６の右板部１６ｂの前後方向の幅よりも小さくすることにより、折畳み位置６ｂにあるカウンター６全体がスライドフレーム１６と重なるようにすることが好ましい。また、折畳み位置６ｂのカウンター６とスライドフレーム１６とが平行に延びることが好ましい。
【００２３】
支持フレーム４の底板１８は、展開位置６ａにおけるカウンター６のストッパとして機能する。回動軸６ｅには、ロータリーダンパ（図示せず）が取付けられることが好ましい。
【００２４】
カウンター６には、スライドフレーム１６とカウンター６との間を斜めに接続する斜め支持リンク２８が設けられることが好ましい。斜め支持リンク２８の一方の端部２８ａは、スライドフレーム１６の右板部１６ｂに設けられた上下方向に延びるガイド孔２８ｂに沿って摺動可能なピン２８ｃを有し、他方の端部２８ｄは、カウンター６に枢動可能に取付けられている。ガイド孔２８ｂの位置を適当に定めることにより、ガイド孔２８ｂをカウンター６の展開位置６ａにおけるストッパとして使用してもよい。
【００２５】
また、支持フレーム４の底板１８は、支持フレーム４を上位置４ａに保持するストッパ３２を有している。ストッパ３２は、底板１８左右方向中心に配置され、左右方向に延びる軸３４ａを中心に枢動可能であり、軸３４ａよりも上方に設けられた引掛け部３２ｃと、軸３４ａよりも下方に設けられたレバー部３２ｄとを有している。キャビネット本体２の後板２ｄには、引掛け部３２ｃが係合する切欠き３４ｂが設けられている。ストッパ３２は、引掛け部３２ｃが切欠き３４ｂに係合する係合位置３２ａと、引掛け部３２ｃが切欠き部３４ｂから離れる解除位置３２ｂとの間をレバー部３２ｄによって枢動可能である。ストッパ３２は、係合位置３２ａに付勢されていることが好ましい。
【００２６】
また、スライドフレーム１６は、カウンター６を折畳み位置６ｂに保持する保持部３０を有している。従って、保持部３０は、カウンター６を折り畳み位置６ｂに保持したまま支持フレーム４とともに上下に移動可能である。詳細には、カウンター６は、好ましくはその先端部６ｄに、左方に突出する保持用突出部３１を有し、保持部３０は、スライドフレーム１６の右板部１６ｂに固定され、保持用突出部３１をスナップ式に受入れる受け部３０ａを有している。また、受け部３０ａは、カウンター６が展開位置６ａから折畳み位置６ｂに移動するときに保持用突出部３１を受入れ易いが、カウンター６が折畳み位置６ｂから展開位置６ａに移動するときに保持用突出部３１が外れにくい形状を有していることが好ましい。
【００２７】
次に、本発明の第１の実施形態であるウォールキャビネットの動作及び作用について説明する。
【００２８】
支持フレーム４が上位置４ａにあり且つカウンター６を保持部３０によって折り畳み位置６ｂに保持した状態において、ストッパ３２のレバー部３２ｄを係合位置３２ａから解除位置３２ｂに枢動させる。それにより、カウンター６を保持部３０によって折畳み位置６ｂ保持したまま、支持フレーム４が下方に移動することを許す。
【００２９】
次いで、取っ手２２を下方に引いて、支持フレーム４をカウンター６と共に上位置４ａから下位置４ｂ、例えば、最も下方の位置に移動させる。変形例として、バランス重り２６ｃ及び滑車２６ａに取付けられたロータリーダンパ（図示せず）の調整により、支持フレーム４を、取っ手２２を引くことなしにゆっくり自重で下降させてもよい。
【００３０】
次いで、カウンター６を折畳み位置６ｂから展開位置６ａに回動させる。具体的には、カウンター６を手で引いて、カウンター６の突出部３１を、保持部３０の受け部３０ａから離脱させる。かくして、カウンター６を使用することができる。
【００３１】
支持フレーム４及びカウンター６を後収納部１２ｂに格納する場合、カウンター６を展開位置６ａから折畳み位置６ｂまで回動させる。保持用突出部３１を受け部３０ａに押し込んで嵌め、カウンター６を折畳み位置６ｂに保持させる。
【００３２】
次いで、カウンター６を保持部３０によって折畳み位置６ｂ保持したまま、支持フレーム４を持上げると、ストッパ３２の引掛け部３２ｃが切欠き３４ｂに係合し、支持フレーム４は、上位置４ａに維持される。
【００３３】
上述したウォールキャビネット１では、保持部３０が支持フレーム４に取付けられているので、カウンター６を保持部３０によって折畳み位置６ｂ保持したまま支持フレーム４とともに格納したり下降させたりすることができ、それにより、カウンター６とキャビネット本体２との間の干渉を防止して、カウンター６及び支持フレーム４の格納及び下降をスムーズに行うことができる。
【００３４】
また、上述したウォールキャビネット１では、カウンター６は、折畳み位置６ｂにあるとき、左方又は右方から見てスライドフレーム１６と少なくとも部分的に重なっているので、カウンター６の格納空間を前後方向に小さくすることができる。
【００３５】
次に、図６〜図８を参照して、本発明によるウォールキャビネットの第２の実施形態を説明する。第２の実施形態のウォールキャビネットは、保持部５２以外、第１の実施形態のウォールキャビネットと同様の構造を有している。従って、以下、異なる部分だけを説明する。図６は、第２の実施形態のウォールキャビネットにおける、図３と同様の断面図である。図７は、図６の線VII−VIIにおける断面図である。図８は、図６の線VIII−VIIIにおける断面図である。
【００３６】
図６〜図８に示すように、本発明の第２の実施形態であるウォールキャビネット５０のスライドフレーム１６は、カウンター６を折畳み位置６ｂに保持する保持部５２を有している。従って、保持部５２は、カウンター６を折り畳み位置６ｂに保持したまま支持フレーム４とともに上下に移動可能である。詳細には、保持部５２は、スライドフレーム１６の右板部１６ｂから左方に延びる軸ブラケット５４ａと、軸ブラケット５４ａから前後方向に延びる枢動軸線を有する軸５４ｂと、軸５４ｂを中心に枢動可能なフック５６とを有している。
【００３７】
フック５６は、上下方向に延び、軸５４ｂから上方に延びる上部５６ｃと、それから下方に延びる下部５６ｄとを有している。上部５６ｃは、ガイドレール１４に向かって突出するフック上突出部５６ｅを有し、ガイドレール１４は、下方に向かうにつれてフック５６に向かって近づく傾斜面を有するレール突出部５８を有し、フック上突出部５６ｅとレール突出部５８の傾斜面とは互いに係合可能である。また、スライドフレーム１６の右板部１６ｂは、孔５４ｃを有し、フック５６の下部５６ｄは、孔５４ｃを貫通するフック下突出部５６ｆを有している。フック下突出部５６ｆには、カウンター６の保持用突出部３１を受入れて保持する受け部５６ｇが設けられている。受け部５６ｇは、カウンター６が展開位置６ａから折畳み位置６ｂに移動するときに保持用突出部３１を受入れ易いが、カウンター６が折畳み位置６ｂから展開位置６ａに移動するときに保持用突出部３１が外れない形態を有している。
【００３８】
フック５６は、カウンター６を折畳み位置６ｂに保持する保持位置５６ａと、カウンター６を折畳み位置６ｂから解放する解放位置５６ｂとの間を枢動可能である。フック５６は、バネ等（図示せず）によって保持位置５６ａに付勢されている。
【００３９】
詳細には、支持フレーム４が上位置４ａから下降するとき、フック５６は保持位置５６ａにある。保持位置５６ａにおいて、フック上突出部５６ｅは、レール突出部５８と係合しないようにレール突出部５８の上方に位置している。フック５６の下部５６ｄは、フック下突出部５６ｆの受け部５６ｇが、孔５４ｃを貫通し、折畳み位置６ｂにあるカウンター６の保持突出部３１を受入れるように枢動させた位置にある。
【００４０】
また、支持フレーム４が下降して、フック上突出部５６ｅとレール突出部５８とが係合する位置まで移動したとき、フック５６は解放位置５６ｂにある。解放位置５６ｂにおいて、フック上突出部５６ｅとレール突出部５８との係合により、下部５６ｄは、フック下突出部５６ｆの受け部５６ｇが折畳み位置６ｂにあるカウンター６の保持突出部３１から遠ざかるように枢動させられた位置にある。
【００４１】
フック上突出部５６ｅとレール突出部５８との間の位置関係は、フック５６が解放位置５６ｂまで枢動してカウンター６を折畳み位置６ｂから解放したときにカウンター６がキャビネット本体２と干渉しないように定められる。そのような範囲内であれば、レール突出部５８を複数設けてもよい。
【００４２】
次に、第２の実施形態のウォールキャビネットの動作及び作用を説明する。以下、第１の実施形態のウォールキャビネットの動作及び作用と異なる部分だけを説明する。
【００４３】
支持フレーム４が上位置４ａにあり且つカウンター６を保持部５２によって折り畳み位置６ｂに保持した状態において、ストッパ３２のレバー部３２ｄを係合位置３２ａから解除位置３２ｂに枢動させる。それにより、カウンター６を保持部５２によって折畳み位置６ｂに保持したまま、支持フレーム４が下方に移動することを許す。
【００４４】
支持フレーム４が上位置４ａにあるとき及びそこから下降し始めたとき、フック５６は保持位置５６ａに付勢され、カウンター６の保持用突出部３１は受け部５６ｇに保持され、かくして、カウンター６が保持部５２によって折り畳み位置６ｂに保持されている。それにより、カウンター６が折畳み位置６ｂから展開位置６ａに向かって回動することが阻止され、即ち、カウンター６を折畳み位置６ｂから展開位置６ａに向かって回動させることはできない。
【００４５】
カウンター６を折畳み位置６ｂに保持したまま、支持フレーム４を下降させると、フック上突出部５６ｅがレール突出部５８の傾斜面に係合する。支持フレーム４を更に下降させると、フック５６の上部５６ｃは、フック５６を保持位置５６ａへ付勢させる力に抗してフック５６を解放位置５６ｂに枢動させる力を受け、フック５６を保持位置５６ａから解放位置５６ｂに枢動させる。それにより、フック下突出部５６ｆが、カウンター６の保持用突出部３１から遠ざかる。その結果、保持用突出部３１が受け部５６ｇから外れ、カウンター６を折畳み位置６ｂから解放することが可能になる。支持フレーム４は、カウンター６を折畳み位置６ｂから解放し且つフック上突出部５６ｅがレール傾斜面５８に係合している状態で最も下の位置になるように構成されることが好ましい。
【００４６】
次いで、カウンター６を折畳み位置６ｂから展開位置６ａに回動させる。具体的には、カウンター６を手で移動させてもよいし、回動軸６ｅに取付けられたロータリーダンパ（図示せず）等を調整することより、カウンター６が自重でゆっくりと展開位置６ａに移動するように構成してもよい。かくして、カウンター６を使用することができる。
【００４７】
支持フレーム４及びカウンター６を後収納部１２ｂに格納する場合、カウンター６を展開位置６ａから折畳み位置６ｂまで回動させる。カウンター６を手で折畳み位置６ｂに維持したまま、支持フレーム４を持上げると、フック５６がバネ（図示せず）によって保持位置５６ａに枢動し、フック５６の受け部５６ｇ保持用突出部３１に嵌る。変形例として、カウンター６を展開位置６ａに維持したまま、カウンター６を少し持上げ、フック５６がバネ（図示せず）によって保持位置５６ａに枢動した後、カウンター６を展開位置６ａから折畳み位置６ｂまで回動させ、カウンター６の保持用突出部３１を受け部５６ｇに押し込んで嵌めてもよい。
【００４８】
次いで、カウンター６を保持部５２によって折畳み位置６ｂ保持したまま、支持フレーム４を持上げると、ストッパ３２の引掛け部３２ｃが切欠き３４ｂに係合し、支持フレーム４は、上位置４ａに維持される。この間、フック５６は、バネ（図示せず）によって保持位置５６ａに付勢され、カウンター６が下降するときと同様の効果を奏する。
【００４９】
上述したウォールキャビネット５０では、保持部５２が支持フレーム４に取付けられているので、カウンター６を保持部５２によって折畳み位置６ｂ保持したまま支持フレーム４とともに格納したり下降させたりすることができ、それにより、カウンター６とキャビネット本体２との間の干渉を防止して、カウンター６及び支持フレーム４の格納及び下降をスムーズに行うことができる。
【００５０】
また、上述した保持部５２により、支持フレーム４が、フック上突出部５６ｅとレール傾斜面５８とが係合する上下方向位置まで下方に移動する間、カウンター６を保持し且つ折畳み位置６ｂから展開位置６ａに向かって回動することを阻止し、それにより、折畳み位置６ｂから展開位置６ａに向かって回動するカウンター６とキャビネット本体２とが干渉することを防止する。
【００５１】
また、支持フレーム４を最も下方の位置まで下降させてからカウンターが展開される場合、物を載せたときに急にカウンターが下降することが防止され、カウンター６の安全性を確保することができる。
【００５２】
次に、図９〜図１１を参照して、本発明によるウォールキャビネットの第３の実施形態を説明する。第２の実施形態のウォールキャビネットは、保持部７２以外、第１の実施形態のウォールキャビネットと同様の構造を有している。従って、以下、異なる部分だけを説明する。図９は、第３の実施形態のウォールキャビネットにおける、図３と同様の断面図である。図１０は、図９の線X−Xにおける断面図である。図１１は、図９の線XI−XIにおける断面図である。
【００５３】
図９〜図１１に示すように、本発明の第３の実施形態であるウォールキャビネット７０のスライドフレーム１６は、カウンター６を折畳み位置６ｂに保持する保持部７２を有している。従って、保持部７２は、カウンター６を折り畳み位置６ｂに保持したまま支持フレーム４とともに上下に移動可能である。詳細には、保持部７２は、上下方向に間隔をおいてスライドフレーム１６に固定されたスライド棒ブラケット７４ａ、７４ｂと、上下方向に摺動可能にスライド軸ブラケット７４ａに支持されたスライド軸７６と、スライド軸７６の下端部に枢動可能に取付けられると共に、斜め支持リンク２８の一方の端部２８ａのピン２８ｃに係合可能なリンクフック７８とを有している。
【００５４】
スライド軸７６は、スライド軸ブラケット７４ａと７４ｂとの間に拡径部７６ｃを有し、上側のスライド軸ブラケット７４ａと拡径部７６ｃとの間にバネ７６ｄが配置されている。それにより、スライド軸７６はその保持位置７６ａに、即ち、下方に付勢されている。
【００５５】
スライド軸７６の上端部は、ガイドレール１４に向かって突出するスライド軸突出部７６ｅを有し、ガイドレール１４は、スライド軸７６に向かって突出するレール突出部８０を有している。スライド軸突出部７６ｅは、レール突出部８０よりも上方に位置し、且つ、両者は互いに係合可能である。
【００５６】
リンクフック７８は、スライドフレーム１６の左板部１６ａから延びる枢動軸線を有する軸７４ｃを中心に枢動可能であり、軸７４ｃから両側に延びている。リンクフック７８の一方の側７８ｅは、斜め支持リンク２８のピン２８ｃの下方に設けられた切欠き２８ｅに係合可能である。リンクフック７８の他方の側７８ｃは、軸７８ｄを介してスライド軸７６の下端部に枢動可能に取付けられている。
【００５７】
スライド軸７６及びリンクフック７８はそれぞれ、カウンター６を折畳み位置６ｂに保持する保持位置７６ａ、７８ａと、カウンター６を折畳み位置６ｂから解放する解放位置７６ｂ、７８ｂとの間を摺動可能又は枢動可能である。
【００５８】
詳細には、支持フレーム４が上位置４ａから下降するとき、スライド軸７６は、バネ７６ｄによって保持位置７６ａに付勢され、スライド軸突出部７６ｅは、レール突出部８０の上方に位置する。また、リンクフック７８は、スライド軸７６によって保持位置７８ａに付勢され、リンクフック７８の一方の側７８ｅは、斜め支持リンク２８のピン２８ｃの切欠き２８ｅと係合する位置にあり、それにより、ピン２８ｃがガイド孔２８ｂに沿って摺動することが阻止される。
【００５９】
また、支持フレーム４が下降して、スライド軸突出部７６ｅとレール突出部８０とが係合する位置まで移動したとき、スライド軸７６は、解放位置７６ｂにある。解放位置７６ｂにおいて、スライド軸７６の拡径部７６ｃは、スライド軸ブラケット７４ａ、７４ｂに対して上方に移動し、それにより、リンクフック７８は、解放位置７８ｂに枢動する。リンクフック７８の一方の側７８ｅは、ピン２８ｃの切欠き２８ｅから退避した位置にあり、それにより、ピン２８ｃがガイド孔２８ｂに沿って摺動することを許す。
【００６０】
スライド軸突出部７６ｅとレール突出部８０との間の位置関係は、スライド軸７６が解放位置７６ｂ間で移動し且つリンクフック７８が解放位置７８ｂまで枢動させたときにカウンター６がキャビネット本体２と干渉しないように定められる。
【００６１】
次に、第３の実施形態のウォールキャビネットの動作及び作用を説明する。以下、第１の実施形態のウォールキャビネットの動作及び作用と異なる部分だけを説明する。
【００６２】
支持フレーム４が上位置４ａにあり且つカウンター６を保持部７２によって折り畳み位置６ｂに保持した状態において、ストッパ３２のレバー部３２ｄを係合位置３２ａから解除位置３２ｂに枢動させる。それにより、カウンター６を保持部７２によって折畳み位置６ｂ保持したまま、支持フレーム４が下方に移動することを許す。
【００６３】
支持フレーム４が上位置４ａにあるとき及びそこから下降し始めたとき、スライド軸７６及びリンクフック７８は保持位置７６ａ、７８ａに付勢され、リンクフック７８の一方の側７８ｅは、ピン２８ｃの切欠き２８ｅに係合しているので、カウンター６に取付けられた斜め支持リンク２８のピン２８ｃの移動が阻止されている。かくして、カウンター６が保持部７２によって折り畳み位置に保持されている。それにより、カウンター６が折畳み位置６ｂから展開位置６ａに向かって回動することが阻止され、即ち、カウンター６を折畳み位置６ｂから展開位置６ａに向かって回動させることはできない。
【００６４】
カウンター６を折畳み位置６ｂに保持したまま、支持フレーム４を下降させると、スライド軸突出部７６ｅがレール突出部８０に係合する。支持フレーム４を更に下降させると、スライド軸７６がスライドフレーム１６に対して上方に移動し、解放位置７６ｂまで移動する。それにより、リンクフック７８の他方の側７８ｃは、リンクフック７８を保持位置７８ａへ付勢させる力に抗してリンクフック７８を解放位置７８ｂに枢動させる力をスライド軸７６を介して受け、リンクフック７８を解放位置７８ｂまで枢動させる。それにより、リンクフック７８の一方の側７８ｅが斜め支持リンク２８のピン２８ｃの切欠き２８ｅから遠ざかる。その結果、ピン２８ｃがガイド溝２８ｂに沿って摺動することが許され、カウンター６を折畳み位置６ｂから解放することが可能になる。支持フレーム４は、カウンター６を折畳み位置６ｂから解放し且つスライド軸突出部７６ｅがレール突出部８０に係合している状態で最も下の位置になるように構成されることが好ましい。
【００６５】
次いで、カウンター６を折畳み位置６ｂから展開位置６ａに回動させる。具体的には、カウンター６を手で移動させてもよいし、回動軸６ｅに取付けられたロータリーダンパ（図示せず）等を調整することより、カウンター６が自重でゆっくりと展開位置６ａに移動するように構成してもよい。かくして、カウンター６を使用することができる。
【００６６】
支持フレーム４及びカウンター６を後収納部１２ｂに格納する場合、カウンター６を展開位置６ａから折畳み位置６ｂまで回動させる。カウンター６を手で折畳み位置６ｂに維持したまま、支持フレーム４を持上げる。支持フレーム４を持上げていくと、スライド軸突出部７６ｅがレール突出部８０から離れ、次いで、スライド軸７６がバネ７６ｄによってスライドフレーム１６に対して下方に移動し、ついには、保持位置７６ａまで移動する。それにより、リンクフック７８の他方の側７８ｃは、リンクフック７８を保持位置７８ａに枢動させる。リンクフック７８の一方の側７８ｅが斜め支持リンク２８のピン２８ｃの切欠き２８ｅに係合し、その結果、ピン２８ｃがガイド溝２８ｂに沿って摺動することが阻止され、カウンター６を折畳み位置６ｂから解放することができなくなる。
【００６７】
次いで、カウンター６を保持部７２によって折畳み位置６ｂ保持したまま、支持フレーム４を持上げると、ストッパ３２の引掛け部３２ｃが切欠き３４ｂに係合し、支持フレーム４は、上位置４ａに維持される。この間、スライド軸７６及びリンクフック７８はそれぞれ、バネ７６ｄによって保持位置７６ａ、７８ａに付勢され、カウンター６が下降するときと同様の効果を奏する。
【００６８】
上述したウォールキャビネット７０では、保持部７２が支持フレーム４に取付けられているので、カウンター６を保持部７２によって折畳み位置６ｂ保持したまま支持フレーム４とともに格納したり下降させたりすることができ、それにより、カウンター６とキャビネット本体２との間の干渉を防止して、カウンター６及び支持フレーム４の格納及び下降をスムーズに行うことができる。
【００６９】
また、上述した保持部７２により、支持フレーム４が、スライド軸突出部７６ｅがレール突出部８０とが係合する上下方向位置まで下方に移動する間、カウンター６を保持し且つ折畳み位置６ｂから展開位置６ａに向かって回動することを阻止し、それにより、折畳み位置６ｂから展開位置６ａに向かって回動するカウンター６とキャビネット本体２とが干渉することを防止する。
【００７０】
また、支持フレーム４を最も下方の位置まで下降させてからカウンターが展開される場合、物を載せたときに急にカウンターが下降することが防止され、カウンター６の安全性を確保することができる。
【００７１】
次に、図１２〜図１５を参照して、本発明によるウォールキャビネットの第４の実施形態を説明する。第４の実施形態のウォールキャビネットは、保持部９２以外、第１の実施形態のウォールキャビネットと同様の構造を有している。従って、以下、異なる部分だけを説明する。図１２は、第４の実施形態のウォールキャビネットにおける、図３と同様の断面図である。図１３は、図１２の線XIII−XIIIにおける断面図である。図１４は、後述するフックが解放位置にある図１３と同様の図であり、図１５は、後述するフックが阻止位置にある図１３と同様の図である。
【００７２】
図１２〜図１５に示すように、本発明の第４の実施形態であるウォールキャビネット９０のスライドフレーム１６は、カウンター６を折畳み位置６ｂに保持する保持部９２を有している。従って、保持部９２は、カウンター６を折り畳み位置６ｂに保持したまま支持フレーム４とともに上下に移動可能である。詳細には、保持部９２は、スライドフレーム１６の右板部１６ｂから左方に延びる軸ブラケット９４ａと、軸ブラケット９４ａから前後方向に延びる枢動軸線を有する軸９４ｂと、軸９４ｂを中心に枢動可能なフック９６とを有している。また、後板２ｄには、上下方向に延びるフック規制部材９８がガイドレール１４と適当な間隔Ｃをあけて取付けられている。従って、フック９６は、ガイドレール１４及びフック規制部材９８に対して上下方向に移動可能である。
【００７３】
フック９６は、上下方向に延び、軸９４ｂから上方に延びる上部９６ｄと、それから下方に延びる下部９６ｅとを有している。フック９６の上部９６ｄは、その一部分がガイドレール１４とフック規制部材９８との間に位置することができる。上部９６ｄの寸法は、それがガイドレール１４とフック規制部材９８との間に位置するときにフック９６が実質的に枢動することを規制する大きさに定められている。フック９６の上部９６ｄは、ガイドレール１４に向かって突出するフック上突出部９６ｆを有していることが好ましい。また、スライドフレーム１６の右板部１６ｂは、孔９４ｃを有し、フック９６の下部９６ｅは、孔９４ｃを貫通するフック下突出部９６ｇを有している。フック下突出部９６ｇには、カウンター６の側面に設けられた孔部６ｇと係合可能である。フック下突出部９６ｇは、その前後方向中心から前方に向かってスライドフレーム１６に向かって傾斜する前側傾斜面９６ｈと、上記前後方向中心から後方に向かってスライドフレーム１６に向かって傾斜する後側傾斜面９６ｉとを有している（図１２参照）。
【００７４】
フック９６は、カウンター６を折畳み位置６ｂに保持する保持位置９６ａ（図１３参照）と、カウンター６を折畳み位置６ｂから解放する解放位置９６ｂ（図１４参照）と、カウンター６の上昇を阻止する阻止位置９６ｃ（図１５参照）との間を枢動可能である。フック９６は、バネ等（図示せず）によって阻止位置９６ｃに向かって付勢されている。
【００７５】
詳細には、図１３に示すように、支持フレーム４が上位置４ａから下降するとき、フック９６が保持位置９６ａにある。保持位置９６ａにおいて、フック下突出部９６ｇは、スライドフレーム１６の孔９４ｃを越えて、カウンター６の孔部６ｇの中まで延びるように構成されている。フック９６の上部９６ｄの一部は、ガイドレール１４とフック規制部材９８との間に位置し且つ上下方向に移動可能である。また、ガイドレール１４とフック規制部材９８との間の間隔Ｃは、それらの間に位置するフック９６の上部９６ｄが、保持位置９６ａから実質的に枢動することを阻止する寸法に定められている。それにより、フックの下突出部９６ｇがカウンター６を折畳み位置６ｂに保持する保持位置９６ａから枢動することを阻止するように、フックの上部９６ｄが規制されている。
【００７６】
また、図１４に示すように、支持フレーム４が下降して、フック９６の上部９６ｄがフック規制部材９８の下方に位置するとき、フック９６は解放位置９６ｂにある。解放位置９６ｂにおいて、下部９６ｅは、フック下突出部９６ｇが折畳み位置６ｂにあるカウンター６の孔部６ｇから遠ざかるように枢動させられた位置にある。
【００７７】
また、図１５に示すように、支持フレーム４が下降して、フック９６の上部９６ｄがガイドレール１４の下方に位置し、カウンター６が展開するとき、フック９６は阻止位置９６ｃにある。阻止位置９６ｃにおいて、フック９６は、その上部９６ｄがガイドレール１４よりも下方に位置し且つスライドフレーム１６の左板部１６ａに向かって枢動させられた位置にある。また、フック下突出部９６ｇは、カウンター６の孔部６ｇの深さ位置を越えて回動し、孔部６ｇがフック突出部９６ｇを受入れることができないように構成されている。
【００７８】
フック規制部材９８の下端の上下方向位置は、フック９６の上部９６ｄがフック規制部材９８に対して下方に移動して下端を越えることによりフック９６が保持位置９６ａから解放位置９６ｂに移動したとき、折畳み位置６ｂから展開位置６ａに向かって移動するカウンター６がキャビネット本体２と干渉しないように定められる。ガイドレール１４の下端の上下方向位置は、フック規制部材９８の下端の上下方向位置と同じであることが好ましい。また、フック９６の上部９６ｄがガイドレール１４及びフック規制部材９８の下端を越える位置は、最も下方に移動した位置であることが好ましい。
【００７９】
次に、第４の実施形態のウォールキャビネットの動作及び作用を説明する。以下、第１の実施形態のウォールキャビネットの動作及び作用と異なる部分だけを説明する。
【００８０】
支持フレーム４が上位置４ａにあり且つカウンター６を保持部９２によって折り畳み位置６ｂに保持した状態において、ストッパ３２のレバー部３２ｄを係合位置３２ａから解除位置３２ｂに枢動させる。それにより、カウンター６を保持部９２によって折畳み位置６ｂに保持したまま、支持フレーム４が下方に移動することを許す。
【００８１】
支持フレーム４が上位置４ａにあるとき及びそこから下降し始めたとき、フック９６はは保持位置９６ａにあり、ガイドレール１４とフック規制部材９８とによって、フック９６の枢動が阻止されており、かくして、カウンター６が保持部９２によって折り畳み位置６ｂに保持されている。それにより、カウンター６が折畳み位置６ｂから展開位置６ａに向かって回動することが阻止されているので、カウンター６を折畳み位置６ｂから展開位置６ａに向かって回動させることはできない。
【００８２】
カウンター６を折畳み位置６ｂに保持したまま、支持フレーム４を下降させると、フック上突出部９６ｅがガイドレール１４及びフック規制部材９８の下端を越え、フック９６は、解放位置９６ｂ及び阻止位置９６ｃに枢動可能になる。
【００８３】
次いで、カウンター６を折畳み位置６ｂから展開位置６ａに回動させる。具体的には、カウンター６を手で引くと、カウンター６が、フック下突出部９６ｇの後側傾斜面９６ｉに沿って摺動し、フック下突出部９６ｇをスライドフレーム１６に向かって押し、フック９６をバネ（図示せず）の付勢力に抗して解放位置９６ｂに枢動させる（図１４参照）。それにより、カウンター６を折畳み位置６ｂから展開位置６ａに回動させることができる。かくして、カウンター６を使用することができる。
【００８４】
カウンター６を折畳み位置６ｂから展開させ、カウンター６がフック下突出部９６ｇから離れると、バネによって付勢されたフック９６が阻止位置９６ｃに移動する。（図１５参照）。この状態で支持フレーム４を上昇させると、阻止位置９６ｃに移動したフック９６のフック上突出部９６ｅがガイドレール１４の下端に当接し、それにより、支持フレーム４の上昇が阻止される。
【００８５】
支持フレーム４及びカウンター６を後収納部１２ｂに格納する場合、フック９６をバネ（図示せず）の付勢力に抗して手で解放位置９６ｂまで移動させ、次いで、カウンター６を展開位置６ａから折畳み位置６ｂまで回動させる。その後、手をフック９６から離すことによって、フック９６がバネ（図示せず）の付勢力によって保持位置９６ａに移動し、カウンター６を折畳み位置６ｂに保持する。変形例として、阻止位置９６ｃに位置するフック９６の前側傾斜面９６ｈと展開位置６ａから折畳み位置６ｂに移動するカウンター６とが係合するように構成し、カウンター６を展開位置６ａから折畳み位置６ｂに回動させたとき、カウンター６が、フック下突出部９６ｇの前側傾斜面９６ｈに沿って摺動し、フック下突出部９６ｇをスライドフレーム１６に向かって押し、フック９６をバネ（図示せず）の付勢力に抗して解放位置９６ｂに枢動させてもよい。
【００８６】
次いで、カウンター６を保持部９２によって折畳み位置６ｂ保持したまま、支持フレーム４を持上げると、ストッパ３２の引掛け部３２ｃが切欠き３４ｂに係合し、支持フレーム４は、上位置４ａに維持される。この間、フック上突出部９６ｅは、ガイドレール１４とフック規制部材９８との間を上方向に移動し、フック９６は、保持位置９６ａに維持される。保持位置９６ａのフック９６は、カウンター６が下降するときと同様の効果を奏する。
【００８７】
上述したウォールキャビネット９０では、保持部９２が支持フレーム４に取付けられているので、カウンター６を保持部９２によって折畳み位置６ｂ保持したまま支持フレーム４とともに格納したり下降させたりすることができ、それにより、カウンター６とキャビネット本体２との間の干渉を防止して、カウンター６及び支持フレーム４の格納及び下降をスムーズに行うことができる。
【００８８】
また、上述した保持部９２により、フック上突出部９６ｅがガイドレール１４及びフック規制部材９８の下端を越える上下方向位置まで支持フレーム４が下方に移動する間、カウンター６を保持し且つ折畳み位置６ｂから展開位置６ａに向かって回動することを阻止し、それにより、折畳み位置６ｂから展開位置６ａに向かって回動するカウンター６とキャビネット本体２とが干渉することを防止する。また、カウンター６が折畳み位置６ｂにないときに、支持フレーム４が上位置に向かって移動することを阻止する。すなわち、所定位置まで下降しないとカウンターは展開せず、且つカウンターが折り畳まれないと支持フレームは上昇しないことになる。
【００８９】
また、支持フレーム４を最も下方の位置まで下降させてからカウンターが展開される場合、物を載せたときに急にカウンターが下降することが防止され、カウンター６の安全性を確保することができる。
【００９０】
次に、図１６〜図１８を参照して、本発明によるウォールキャビネットの第５の実施形態を説明する。第５の実施形態のウォールキャビネットは、保持部１１２以外、第１の実施形態のウォールキャビネットと同様の構造を有している。従って、以下、異なる部分だけを説明する。図１６は、第５の実施形態のウォールキャビネットにおける、図３と同様の断面図である。図１７は、図１６の線XVII−XVIIにおける断面図である。図１８は、図１６の線XVIII−XVIIIにおける断面図である。
【００９１】
図１６〜図１８に示すように、本発明の第５の実施形態であるウォールキャビネット１１０のスライドフレーム１６は、カウンター６を折畳み位置６ｂに保持する保持部１１２を有している。従って、保持部１１２は、カウンター６を折り畳み位置６ｂに保持したまま支持フレーム４とともに上下に移動可能である。詳細には、保持部１１２は、スライドフレーム１６の右板部１６ｂから左方に延びる枢動軸線を有する軸１１４ａと、軸１１４ａを中心に枢動可能な回転フック１１６とを有している。
【００９２】
回転フック１１６は、上下方向に延び、軸１１４ａから上方に延びる上部１１６ｃと、それから下方に延びる下部１１６ｄとを有している。回転フック１１６の上部１１６ｃは、ガイドレール１４に向かって突出する上突起１１６ｅを有し、ガイドレール１４は、上突起１１６ｅを案内するためのガイド部材１１８を有している。ガイド部材１１８は、上突起１１６ｅを受入れ、下方に向かうに従って後板２ｄ側に案内するガイド溝１１８ａを有している。また、回転フック１１６の下部１１６ｄは、カウンター６の回動軸６ｅに向かって突出する下突出部１１６ｆを有し、回動軸６ｅは、下突出部１１６ｆと係合する切欠き６ｈを有している。
【００９３】
回転フック１１６は、カウンター６を折畳み位置６ｂに保持する保持位置１１６ａと、カウンター６を折畳み位置６ｂから解放する解放位置１１６ｂとの間を枢動可能である。回転フック１１６は、バネ等（図示せず）によって保持位置１１６ａに付勢されている。
【００９４】
詳細には、支持フレーム４が上位置４ａから下降するとき、回転フック１１６は保持位置１１６ａにある。保持位置１１６ａにおいて、上突起１１６ｅは、ガイド溝１１８ａの上方にそれと離れて位置している。下突出部１１６ｆは、回動軸６ｅの切欠き６ｈに当接した位置にある。
【００９５】
また、支持フレーム４が下降して、上突起１１６ｅがガイド溝１１８ａに受入れられて後方に移動したとき、回転フック１１６は解放位置１１６ｂにある。解放位置１１６ｂにおいて、上突起１１６ｅとガイド溝１１８ａとの係合により、下部１１６ｄは、下突出部１１６ｆが畳み位置６ｂにあるカウンター６の回動軸６ｅの切欠き６ｈから遠ざかるように枢動させられた位置にある。
【００９６】
上突起１１６ｅとガイド溝１１８ａとの間の位置関係は、回転フック１１６が解放位置１１６ｂまで枢動してカウンター６を折畳み位置６ｂから解放したときにカウンター６がキャビネット本体２と干渉しない範囲に定められる。カウンター６を折畳み位置６ｂから解放する位置は、支持フレーム４が最も下方に移動した位置であるのがよい。変形例として、そのような範囲内であれば、下方に向かうに従って後板２ｄ側に案内するガイド溝１１８ａを、複数連続的に設けてもよい。
【００９７】
更に、回動軸６ｅは、回転フック１１６ａが解放位置１１６ｂにあり且つカウンター６が折畳み位置６ｂにないとき、回転フック１１６の下突出部１１６ｆが回転軸６ｅに邪魔されて、回転フック１１６が保持位置に移動できないように構成されている。
【００９８】
次に、第５の実施形態のウォールキャビネットの動作及び作用を説明する。以下、第１の実施形態のウォールキャビネットの動作及び作用と異なる部分だけを説明する。
【００９９】
支持フレーム４が上位置４ａにあり且つカウンター６を保持部１１２によって折り畳み位置６ｂに保持した状態において、ストッパ３２のレバー部３２ｄを係合位置３２ａから解除位置３２ｂに枢動させる。それにより、カウンター６を保持部１１２によって折畳み位置６ｂに保持したまま、支持フレーム４が下方に移動することを許す。
【０１００】
支持フレーム４が上位置４ａにあるとき及びそこから下降し始めたとき、回転フック１１６は保持位置１１６ａに付勢され、下突出部１１６ｆが回転軸６ｅに係合し、かくして、カウンター６が保持部１１２によって折り畳み位置６ｂに保持されている。それにより、カウンター６が折畳み位置６ｂから展開位置６ａに向かって回動することが阻止され、カウンター６を折畳み位置６ｂから展開位置６ａに向かって回動させることはできない。
【０１０１】
カウンター６を折畳み位置６ｂに保持したまま、支持フレーム４を下降させると、上突起１１６ｅがガイド部材１１８のガイド溝１１８ａに案内され、回転フック１１６の上側１１６ｃは、回転フック１１６を保持位置１１６ａへ付勢させる力に抗して回転フック１１６を解放位置１１６ｂに枢動させる力を受け、回転フック１１６を解放位置１１６ｂ間で枢動させる。それにより、下突出部１１６ｆが回動軸６ｅから遠ざかる。その結果、カウンター６の回動軸６ｃが回転することが許され、カウンター６を折畳み位置６ｂから解放することが可能になる。
【０１０２】
次いで、カウンター６を折畳み位置６ｂから展開位置６ａに回動させる。具体的には、カウンター６を手で移動させてもよいし、回動軸６ｅに取付けられたロータリーダンパ（図示せず）等を調整することより、カウンター６が自重でゆっくりと展開位置６ａに移動するように構成してもよい。かくして、カウンター６を使用することができる。
【０１０３】
カウンター６が折畳み位置６ｂから移動すると、下突出部１１６ｆと回動軸６ｅの切欠き６ｈが非整列状態になり、回転フック１１６を保持位置１１６ａに移動させることができなくなる。それにより、ガイド溝１１８ａから上突起１１６ｅが脱出できず、支持フレーム４の上昇が阻止される。
【０１０４】
支持フレーム４及びカウンター６を後収納部１２ｂに格納する場合、カウンター６を展開位置６ａから折畳み位置６ｂまで回動させる。それにより、回動軸６ｅの切欠き６ｈと下突出部１１６ｆとが整列状態になり、回転フック１１６を保持位置１１６ａに移動させることが可能になる。支持フレーム４を持上げると、上突起１１６ｅがガイド部材１１８のガイド溝１１８ａに案内されると共に、回転フック１１６がバネ（図示せず）によって保持位置１１６ａに付勢され、カウンター６を折畳み位置６ｂに保持する。
【０１０５】
次いで、カウンター６を保持部１１２によって折畳み位置６ｂに保持したまま、支持フレーム４を持上げると、ストッパ３２の引掛け部３２ｃが切欠き３４ｂに係合し、支持フレーム４は、上位置４ａに維持される。この間、回転フック１１６は、バネ（図示せず）によって保持位置１１６ａに付勢され、カウンター６が下降するときと同様の効果を奏する。
【０１０６】
上述したウォールキャビネット１１０では、保持部１１２が支持フレーム４に取付けられているので、カウンター６を保持部１１２によって折畳み位置６ｂ保持したまま支持フレーム４とともに格納したり下降させたりすることができ、それにより、カウンター６とキャビネット本体２との間の干渉を防止して、カウンター６及び支持フレーム４の格納及び下降をスムーズに行うことができる。
【０１０７】
また、支持フレーム４が、上突起１１６ｅがガイド溝１１８ａに受入れられる直前の上下方向位置まで下方に移動する間は少なくとも、上述した保持部１１２により、カウンター６を保持し且つ折畳み位置６ｂから展開位置６ａに向かって回動することを阻止し、それにより、折畳み位置６ｂから展開位置６ａに向かって回動するカウンター６とキャビネット本体２とが干渉することを防止する。また、カウンター６が折畳み位置６ｂにないときに、支持フレーム４を上昇させることが防止される。すなわち、所定位置まで下降しないとカウンターは展開せず、且つカウンターが折り畳まれないと支持フレームは上昇しないことになる。
【０１０８】
また、支持フレーム４を最も下方の位置まで下降させてからカウンターが展開される場合、物を載せたときに急にカウンターが下降することが防止され、カウンター６の安全性を確保することができる。
【０１０９】
また、カウンター６が折畳み位置６ｂにないとき、カウンター６を上方に移動させることができないので、カウンター６に物が載っているときに過って支持フレーム４を移動させることを防止することができる。また、カウンター６が展開しているとき、回転フック１１６を保持位置１１６ａに枢動させることができず、それにより、回転フック１１６及び支持フレーム４を持上げることができない。従って、展開時のカウンター６が上下にがたつくことを防止することができる。 
【０１１０】
また、複数の上下方向位置で、支持フレーム４を上方向に移動させることを阻止するように、回転フック１１６が保持位置１１６ａに位置することと解放位置１１６ｂに位置することとを交互に繰り返すようにガイド溝１１８ａを構成してもよい。その場合、カウンター６の複数の上下方向高さ位置で使用することが可能になる。
【０１１１】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【０１１２】
スライドフレーム１６の保持部とカウンター６の突出部の組合せは、カウンター６を折畳み位置６ｂに保持することができれば、その他の形態であってもよい。
【０１１３】
第２の実施形態では、保持部５２がカウンター６の保持用突出部３１に係合し、第３の実施形態では、保持部７２が斜め支持リンク２８のピン２８ｃに係合し、第４の実施形態では、保持部９２がカウンター６の孔部６ｇに係合し、第５の実施形態では、保持部１１６がカウンター６の回動軸６ｅに係合しているが、これらの組合せを互いに交換してもよい。
【図面の簡単な説明】
【０１１４】
【図１】本発明の実施形態であるウォールキャビネットの下方から見た斜視図である。
【図２】図１の線II−IIにおける断面図である。
【図３】図２の線III−IIIにおける断面図である。
【図４】図２の線IV−IVにおける断面図である。
【図５】カウンターを支持フレームとともにキャビネット本体内に格納した、図４と同様の図である。
【図６】第２の実施形態のウォールキャビネットにおける、図３と同様の断面図である。
【図７】図６の線VII−VIIにおける断面図である。
【図８】図６の線VIII−VIIIにおける断面図である。
【図９】第３の実施形態のウォールキャビネットにおける、図３と同様の断面図である。
【図１０】図９の線X−Xにおける断面図である。
【図１１】図９の線XI−XIにおける断面図である。
【図１２】第４の実施形態のウォールキャビネットにおける、図３と同様の断面図である。
【図１３】図１２の線XIII−XIIIにおける断面図である。
【図１４】フックが解放位置にある図１３と同様の図である。
【図１５】フックが阻止位置にある図１３と同様の図である。
【図１６】第５の実施形態のウォールキャビネットにおける、図３と同様の断面図である。
【図１７】図１６の線XVII−XVIIにおける断面図である。
【図１８】図１６の線XVIII−XVIIIにおける断面図である。
【符号の説明】
【０１１５】
１、５０、７０、９０、１１０  ウォールキャビネット
２  キャビネット本体
２ｆ  底面
４  支持フレーム
４ａ  上位置
４ｂ  下位置
６  カウンター
６ａ  展開位置
６ｂ  折畳み位置
８  仕切り板
１２ａ  前収納部
１２ｂ  後収納部
１４  ガイドレール
１６  スライドフレーム
３０、５２、７２、９２、１１２  保持部
【図１】
2008086409.tif 000003
【図２】
2008086409.tif 000004
【図３】
2008086409.tif 000005
【図４】
2008086409.tif 000006
【図５】
2008086409.tif 000007
【図６】
2008086409.tif 000008
【図７】
2008086409.tif 000009
【図８】
2008086409.tif 000010
【図９】
2008086409.tif 000011
【図１０】
2008086409.tif 000012
【図１１】
2008086409.tif 000013
【図１２】
2008086409.tif 000014
【図１３】
2008086409.tif 000015
【図１４】
2008086409.tif 000016
【図１５】
2008086409.tif 000017
【図１６】
2008086409.tif 000018
【図１７】
2008086409.tif 000019
【図１８】
2008086409.tif 000020
【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
ウォールキャビネットであって、
底面を有するキャビネット本体と、前記キャビネット本体の後部に配置され、前記キャビネット本体内に格納される上位置と、前記キャビネット本体の底面よりも下方に延びる下位置との間を上下方向に移動可能な支持フレームと、
前記支持フレームに支持されたカウンターと、を有し、
前記カウンターは、前記支持フレームが下位置にあるとき、前記支持フレームから前方に延びる展開位置と、前記支持フレームに沿って上方向に延びる折畳み位置との間を回動可能であり、折畳み位置において前記支持フレームとともに前記キャビネット本体内に格納可能であり、
前記支持フレームは、前記支持フレームを上位置と下位置との間で移動させるときの前記カウンターと前記キャビネット本体との間の干渉を防止するために、折畳み位置から展開位置に向かう前記カウンターの移動を制限するように前記カウンターを折畳み位置に保持する保持部を有し、それにより、前記保持部は、前記カウンターを折畳み位置に保持したまま前記支持フレームとともに上下に移動可能であることを特徴とするウォールキャビネット。
【請求項２】
前記キャビネット本体は、その後部に、ガイドレールを有し、
前記支持フレームは、前記ガイドレールに上下方向に摺動可能に取付けられたスライドフレームを有し、
前記カウンターは、それが折畳み位置にあるとき、左方又は右方から見て前記スライドフレームと少なくとも部分的に重なることを特徴とする請求項１に記載のウォールキャビネット。